(57)【要約】【課題】  平面の生地に対して１回だけ押し付けられることによって、第１の型と、当該第１の型の内領域における第２の型とを平面の生地から抜くことができる型抜き器を提供すること。【解決手段】  平面の生地（例えば、スライスチーズ２０）に対して押し付けられることによって、所定の型を当該平面の生地から抜く型抜き器１０が、平面の生地に対して押し付けられる面が平面に形成された基部１と、平面の生地に対して押し付けられる面上に設けられ、第１の型（例えば、キャラクタの型）の外周を特定するための連続する第１の型抜き刃２と、平面の生地に対して押し付けられる面上に設けられ、第１の型の内領域における第２の型（例えば、キャラクタの目の型）の外周を特定するための第２の型抜き刃３とを具備する。【選択図】  図１
2005074585.tif 000002
【特許請求の範囲】
【請求項１】
平面の生地に対して押し付けられることによって、当該平面の生地から所定の型を抜く型抜き器であって、
平面の生地に対して押し付けられる面が平面に形成された基部と、
前記平面の生地に対して押し付けられる面上に設けられ、第１の型の外周を特定するための連続する第１の型抜き刃と、
前記平面の生地に対して押し付けられる面上に設けられ、前記第１の型の内領域における第２の型の外周を特定するための第２の型抜き刃とを具備することを特徴とする型抜き器。
【請求項２】
前記第２の型抜き刃は、前記第２の型に抜かれた前記平面の生地を粘着させることによって抜き取ることを特徴とする請求項１に記載の型抜き器。
【請求項３】
前記基部には、前記平面の生地に対して押し付けられる面から当該平面の生地に対して押し付けられる面の背後面に連通し、前記第１の型に抜かれた前記平面の生地を当該背後面からの作用によって前記型抜き器から剥離するための第１の連通穴が設けられていることを特徴とする請求項１又は請求項２に記載の型抜き器。
【請求項４】
前記基部には、前記平面の生地に対して押し付けられる面から当該平面の生地に対して押し付けられる面の背後面に連通し、前記第２の型に抜かれた前記平面の生地を当該背後面からの作用によって前記型抜き器から剥離するための第２の連通穴が設けられていることを特徴とする請求項１乃至請求項３のいずれかに記載の型抜き器。
【請求項５】
前記平面の生地に対して押し付けられる面上には、前記第１の型抜き刃が複数設けられていることを特徴とする請求項１乃至請求項４のいずれかに記載の型抜き器。
【発明の詳細な説明】
【技術分野】
【０００１】
本発明は、平面の生地に対して押し付けられることによって、当該平面の生地から所定の型を抜く型抜き器に関するものである。
【背景技術】
【０００２】
平面の生地（スライスチーズなど）に対して押し付けられることによって、平面の生地から所定の型を抜く型抜き器が従来から知られている（例えば、特許文献１）。
【特許文献１】特開平１１−３３９８４号公報
【発明の開示】
【発明が解決しようとする課題】
【０００３】
しかしながら、従来の型抜き器では、当該型抜き器が平面の生地（スライスチーズなど）に対して押し付けられることによって、第１の型（例えば、キャラクタの型）及び当該第１の型の内領域における第２の型（例えば、キャラクタの目の型）を、当該平面の生地から１度に抜くことができないという問題があった。
【０００４】
本発明は、上述の問題に鑑みなされたものであり、平面の生地に対して押し付けられることによって、第１の型と当該第１の型の内領域における第２の型とを、当該平面の生地から１度に抜くことができる型抜き器を提供することを目的とする。
【課題を解決するための手段】
【０００５】
本発明の第１の特徴は、平面の生地に対して押し付けられることによって、所定の型を当該平面の生地から抜く型抜き器が、平面の生地に対して押し付けられる面が平面に形成された基部と、平面の生地に対して押し付けられる面上に設けられ、第１の型の外周を特定するための連続する第１の型抜き刃と、平面の生地に対して押し付けられる面上に設けられ、第１の型の内領域における第２の型の外周を特定するための第２の型抜き刃とを具備することを要旨とする。
【０００６】
かかる特徴によれば、型抜き器が、第１の型抜き刃と第２の型抜き刃とを具備することにより、当該型抜き器の使用者は、平面の生地（例えば、スライスチーズ）に当該型抜き器を１度だけ押し付けることによって、第１の型（例えば、キャラクタや動物の型）及び第２の型（例えば、キャラクタや動物の目の型）を、平面の生地から抜くことができる。
【０００７】
本発明の第２の特徴は、本発明の第１の特徴において、第２の型抜き刃が、第２の型に抜かれた平面の生地を粘着させることによって抜き取ることを要旨とする。
【０００８】
かかる特徴によれば、第２の型抜き刃が、第２の型に抜かれた平面の生地を抜き取ることにより、型抜き器の使用者は、平面の生地（例えば、スライスチーズ）に当該型抜き器を１度だけ押し付けることによって、第１の型（例えば、キャラクタや動物の型）を平面の生地から抜くとともに、第２の型（例えば、キャラクタや動物の目の型）に抜かれた平面の生地を抜き取ることができる。
【０００９】
本発明の第３の特徴は、本発明の第１の特徴又は第２の特徴において、平面の生地に対して押し付けられる面から当該平面の生地に対して押し付けられる面の背後面に連通し、第１の型に抜かれた平面の生地を当該背後面からの作用によって型抜き器から剥離するための第１の連通穴が基部に設けられていることを要旨とする。
【００１０】
かかる特徴によれば、第１の型に抜かれた平面の生地を型抜き器から剥離するための第１の連通穴が基部（第１の型の内領域）に設けられていることにより、型抜き器の使用者は、第１の型に抜かれ、型抜き器に粘着している平面の生地（例えば、スライスチーズ）を、連通穴に棒状部材を通すことによって型抜き器から剥離させることができる。
【００１１】
本発明の第４の特徴は、本発明の第１の特徴乃至第３のいずれかの特徴において、平面の生地に対して押し付けられる面から当該平面の生地に対して押し付けられる面の背後面に連通し、第２の型に抜かれた平面の生地を当該背後面からの作用によって型抜き器から剥離するための第２の連通穴が基部に設けられていることを要旨とする。
【００１２】
かかる特徴によれば、第２の型に抜かれた平面の生地を型抜き器から剥離するための第２の連通穴が基部（第２の型の内領域）に設けられていることにより、型抜き器の使用者は、第２の型に抜かれ、型抜き器に粘着している平面の生地（例えば、スライスチーズ）を、連通穴に棒状部材を通すことによって型抜き器から剥離させることができる。
【００１３】
本発明の第５の特徴は、本発明の第１の特徴乃至第４のいずれかの特徴において、平面の生地に対して押し付けられる面上に、第１の型抜き刃が複数設けられていることを要旨とする。
【００１４】
かかる特徴によれば、平面の生地に対して押し付けられる面上に第１の型抜き刃が複数設けられていることにより、型抜き器の使用者は、平面の生地（例えば、スライスチーズ）に当該型抜き器を１度だけ押し付けることによって、複数の第１の型（例えば、複数のキャラクタの型や動物の型）を、平面の生地から抜くことができる。
【発明の効果】
【００１５】
本発明によれば、平面の生地に対して押し付けられることによって、第１の型と当該第１の型の内領域における第２の型とを平面の生地から１度に抜くことができる型抜き器を提供することができる。
【発明を実施するための最良の形態】
【００１６】
本実施形態における型抜き器は、平面の生地（例えば、スライスチーズなど）に対して押し付けられることによって、所定の型を抜く型抜き器である。また、この型抜き器は、第１の型（例えば、キャラクタや動物の型）を抜くための第１の型抜き刃と、第１の型の内領域における第２の型（例えば、キャラクタや動物の目の型）を抜くための第２の型抜き刃とを具備する。
【実施例１】
【００１７】
（本実施形態における型抜き器の構成）
以下において、本実施形態における型抜き器１０の構成について、図面を参照しながら説明する。図１は、本実施形態における型抜き器１０の一例を示す概観図である。図１に示すように、型抜き器１０は、基部１と、第１の型抜き刃２と、第２の型抜き刃３と、型抜取刃４と、連通穴５ａ・５ｂとを具備する。
【００１８】
具体的には、基部１は、平面の生地に対して押し付けられる面が平面に形成され、当該平面の生地に対して押し付けられる面上には、第１の型抜き刃２と第２の型抜き刃３と型抜取刃４とが設けられている。
【００１９】
第１の型抜き刃２は、第１の型（キャラクタの型）の外周を特定し、その外周に沿って平面の生地を切断するものである。
【００２０】
以下において、第１の型抜き刃２によって外周が特定される第１の型は、キャラクタの型であるものとして説明するが、これに限定されず、動物や植物などの型であってもよい。
【００２１】
ここで、第１の型抜き刃２は、平面の生地を切断することができる程度の強度を有する部材（例えば、プラスティック）により構成され、平面の生地を切断することができるように基部１に設けられている（例えば、基部１に形成された平面（平面の生地に対して押し付けられる面）に対して垂直に設けられている）。
【００２２】
なお、本実施形態において、第１の型抜き刃２は、第１の型（キャラクタの型）の外周を特定するための連続する第１の型抜き刃である。
【００２３】
第２の型抜き刃３は、第１の型抜き刃２によって外周が特定される第１の型（キャラクタの型）の内領域における第２の型（キャラクタの目の型）の外周を特定し、その外周に沿って平面の生地を切断するものである。
【００２４】
以下において、第２の型抜き刃３によって外周が特定される第２の型は、キャラクタの目の型であるものとして説明するが、これに限定されず、キャラクタの口の型などであってもよい。また、型抜き器１０に具備される第２の型抜き刃３の数に制限はないものとする。
【００２５】
この第２の型抜き刃３の具体的な説明は、以下の通りである。図２（ａ）は、本実施形態における第２の型抜き刃３を示す外観図である。
【００２６】
図２（ａ）に示すように、第２の型抜き刃３は、基部１に形成された平面（平面の生地に対して押し付けられる面）に設けられ、平面の生地を切断することができるように形成されている。また、第２の型抜き刃３によって特定される領域の内側（基部１）には、後述する連通穴５ｂが設けられている。
【００２７】
なお、第２の型抜き刃３は、平面の生地を切断することができる程度の強度を有する部材（例えば、プラスティック）により構成され、平面の生地を切断することができるように基部１に設けられている（例えば、基部１に形成された平面（平面の生地に対して押し付けられる面）に対して垂直に設けられている）。
【００２８】
型抜取刃４は、第１の型抜き刃２によって外周が特定される第１の型（キャラクタの型）の内領域における型（円形の型）を平面の生地から抜くとともに、抜かれた平面の生地を粘着させることによって、平面の生地から抜き取るものである。
【００２９】
以下において、型抜取刃４によって抜き取られる型は、円形の型であるものとして説明するが、これに限定されず、四角形の型や三角形の型や星の型などであってもよい。また、型抜取刃４の数に制限はないものとする。
【００３０】
この型抜取刃４の具体的な説明は、以下の通りである。図２（ｂ）は、本実施形態における型抜取刃４を示す外観図である。
【００３１】
図２（ｂ）に示すように、型抜取刃４は、基部１に形成された平面（生地に対して押し付けられる面）に設けられている。また、型抜取刃４は、平面の生地を円形の型に切断できるように形成され、当該型抜取刃４により円形の型に切断された平面の生地を、当該型抜取刃４に粘着させることによって抜き取る。
【００３２】
なお、型抜取刃４は、平面の生地を切断することができる程度の強度を有する部材（例えば、プラスティック）により構成され、平面の生地を切断することができるように基部１に設けられている（例えば、基部１に形成された平面（平面の生地に対して押し付けられる面）に対して垂直に設けられている）。
【００３３】
なお、本実施形態において、第２の型抜き刃３及び型抜取刃４は、第１の型抜き刃（第１の型抜き刃２）によって外周が特定される第１の型（キャラクタの型）の内領域における第２の型（キャラクタの目の型や円形の型）の外周を特定するための第２の型抜き刃である。
【００３４】
連通穴５ａ・５ｂは、生地に対して押し付けられる面（基部１に形成された平面）からその面の背後面に連通し、型抜き器１０によって抜き出された平面の生地を、当該背後面からの作用によって当該型抜き器１０から剥離させるためのものである。また、連通穴５ａは、第２の型抜き刃３によって外周が特定されるキャラクタの目の型の内領域にあたる基部１に設けられ、連通穴５ｂは、第１の型抜き刃２によって外周が特定されるキャラクタの型の内領域にあたる基部１に設けられている。
【００３５】
なお、本実施形態において、連通穴５ｂは、第１の型（キャラクタの型）に抜かれた平面の生地を、背後面からの作用によって当該型抜き器１０から剥離させるための第１の連通穴である。また、本実施形態において、連通穴５ａは、第２の型（キャラクタの目の型）に抜かれた平面の生地を、背後面からの作用によって当該型抜き器１０から剥離させるための第２の連通穴である。
【００３６】
以下において、本実施形態における型抜き器１０の使用方法について、図面を参照しながら説明する。
【００３７】
図３は、平面の生地（以下、スライスチーズ２０）に対して型抜き器１０が押し付けられている状態を示す図である。型抜き器１０は、スライスチーズ２０に対して押し付けられることによって、キャラクタの型の外周及びキャラクタの目の型及び円形の型の外周に沿って、スライスチーズ２０を同時に切断する。
【００３８】
なお、以下において、平面の生地は、スライスチーズ２０であるものとして説明するが、これに限定されるものではない。
【００３９】
図４は、型抜き器１０によって抜かれたスライスチーズ２０を示す図である。
【００４０】
具体的には、図４に示すように、第１の型抜き刃２は、当該第１の型抜き刃２によって特定されるキャラクタの型（領域ａ）の外周に沿ってスライスチーズ２０を切断し、スライスチーズ２０をキャラクタの型（領域ａ）をスライスチーズ２０から抜く。
【００４１】
また、第２の型抜き刃３は、当該第２の型抜き刃３によって特定されるキャラクタの目の型（領域ｂ）の外周に沿ってスライスチーズ２０を切断し、スライスチーズ２０をキャラクタの目の型（領域ｂ）をスライスチーズ２０から抜く。
【００４２】
さらに、型抜取刃４は、当該型抜取刃４によって特定される円形の型（領域ｃ）の外周に沿ってスライスチーズ２０を切断し、円形の型（領域ｃ）に抜かれたスライスチーズ２０を抜き取る。
【００４３】
図５は、型抜き器１０によって抜かれたスライスチーズ２０を、当該型抜き器１０から剥離させている状態を示す図である。
【００４４】
具体的には、図５に示すように、第１の型抜き刃２及び第２の型抜き刃３によって抜かれたスライスチーズ２０（領域ａ及び領域ｂ）は、棒状部材３０が連通穴５ａ・５ｂに通されることによって、当該型抜き器１０から剥離される。
【００４５】
図６は、型抜き器１０から剥離されたスライスチーズ２０を示す図である。
【００４６】
具体的には、図６に示すように、第１の型抜き刃２によってキャラクタの型に抜かれたスライスチーズ２０（領域ａ）及び第２の型抜き刃３によってキャラクタの目の型に抜かれたスライスチーズ２０（領域ｂ）は、型抜き器１０から剥離されて食パン４０などの上に載せられる。
【００４７】
また、型抜取刃４によって抜き取られたスライスチーズ２０（領域ｃ）は、型抜き器１０に粘着したままである。すなわち、領域ｄには、スライスチーズ２０がない状態である。
【００４８】
（本実施形態における型抜き器の作用、及び、効果）
本実施形態における型抜き器１０によれば、型抜き器１０が、第１の型抜き刃２と第２の型抜き刃３と型抜取刃４とを具備することにより、当該型抜き器１０の使用者は、スライスチーズ２０に当該型抜き器１０を１度だけ押し付けることによって、キャラクタの型（領域ａ）及びキャラクタの目の型（領域ｂ）をスライスチーズ２０から抜くとともに、第１の型の内領域における円形の型（領域ｃ）に抜かれたスライスチーズ２０を型抜取刃４によって抜き取ることができる。
【００４９】
また、型抜き器１０の基部１に連通穴５ａ・５ｂが設けられていることにより、当該型抜き器１０の使用者は、棒状部材３０を連通穴５ａ・５ｂに通すことによって、当該型抜き器１０に粘着しているスライスチーズ２０（領域ａ及び領域ｂ）を型抜き器１０から剥離させることができる。
【００５０】
（変更例）
以下において、上述の実施形態の変更例について、図面を参照しながら説明する。なお、本変更例においては、上述の実施形態との相違点についてのみ説明する。
【００５１】
図７は、本変更例における型抜き器１０の一例を示す図である。図７に示すように、本変更例における型抜き器１０は、複数の第１の型（動物の型）の外周をそれぞれ特定するための第１の型抜き刃２を複数具備する。また、型抜き器１０は、各第１の型（動物の目の型）のスライスチーズ２０を粘着させることにより抜き取る型抜取刃４と、第１の型抜き刃２によって抜かれた型抜き器１０に粘着しているスライスチーズ２０を、棒状部材３０を通すことによって型抜き器１０から剥離させるための連通穴５ｂとを具備する。
【００５２】
なお、本変更例において、第１の型抜き刃２によって外周が特定される第１の型は、動物の型であるが、これに限定されず、キャラクタや植物などの型であってもよい。
【００５３】
本変更例における型抜き器１０によれば、型抜き器１０が、第１の型抜き刃２を複数具備することにより、当該型抜き器１０の使用者は、スライスチーズ２０に当該型抜き器１０を１度だけ押し付けることによって、複数の第１の型（動物の型）を、スライスチーズ２０から抜くことができる。
【図面の簡単な説明】
【００５４】
【図１】本実施形態における型抜き器１０の一例を示す概観図である（その１）。
【図２】本実施形態における第２の型抜き刃３及び型抜取刃４の一例を示す外観図である。
【図３】本実施形態における型抜き器１０の使用方法について説明するための図である（その１）。
【図４】本実施形態における型抜き器１０の使用方法について説明するための図である（その２）。
【図５】本実施形態における型抜き器１０の使用方法について説明するための図である（その３）。
【図６】本実施形態における型抜き器１０の使用方法について説明するための図である（その４）。
【図７】変更例における型抜き器１０の一例を示す概観図である（その２）。
【符号の説明】
【００５５】
１…基部、２…第１の型抜き刃、３…第２の型抜き刃、４…型抜取刃、５ａ・５ｂ…連通穴、１０…型抜き器、２０…スライスチーズ、３０…棒状部材、４０…食パン
【図１】
2005074585.tif 000003
【図２】
2005074585.tif 000004
【図３】
2005074585.tif 000005
【図４】
2005074585.tif 000006
【図５】
2005074585.tif 000007
【図６】
2005074585.tif 000008
【図７】
2005074585.tif 000009